(57)【要約】      （修正有）【課題】野縁受けを取り付ける際の力が少なくて済み、施工性に優れる野縁受けハンガーを提供する。【解決手段】本発明の野縁受けハンガー１は、躯体天井部に設けられた吊りボルトに固定される固定部２と、側方に開口部を有する野縁受けを支持可能であって固定部２に連結する支持部３と、を備えるものであって、支持部３は、固定部２から下方に向けて延在する第一側壁６と、第一側壁６の下部に連結する底壁７と、底壁７から上方に向けて延在して第一側壁６に対向し、野縁受けを支持した際に開口部が面する第二側壁８と、を備え、第二側壁８は、第二側壁８よりも幅狭で、且つ下方に向かうにつれて第一側壁６に近づく向きに傾き、底壁７との間で野縁受けを保持する傾斜保持片１３を有する。【選択図】図１
2020045719.tif 000002
【特許請求の範囲】
【請求項１】
躯体天井部に設けられた吊りボルトに固定される固定部と、側方に開口部を有する野縁受けを支持可能であって該固定部に連結する支持部と、を備える野縁受けハンガーであって、
前記支持部は、前記固定部から下方に向けて延在する第一側壁と、該第一側壁の下部に連結する底壁と、該底壁から上方に向けて延在して該第一側壁に対向し、前記野縁受けを支持した際に前記開口部が面する第二側壁と、を備え、
前記第二側壁は、該第二側壁よりも幅狭で、且つ下方に向かうにつれて前記第一側壁に近づく向きに傾き、前記底壁との間で前記野縁受けを保持する傾斜保持片を有する野縁受けハンガー。
【請求項２】
前記第一側壁は、前記第二側壁に向けて突出し、支持した前記野縁受けに係合する突起を有する請求項１に記載の野縁受けハンガー。
【発明の詳細な説明】
【技術分野】
【０００１】
本発明は、天井パネルが取り付けられる天井下地において、躯体天井部に設けられた吊りボルトに固定され、天井パネルを固定する野縁が取り付けられる野縁受けを支持する野縁受けハンガーに関する。
【背景技術】
【０００２】
従来、天井パネルが取り付けられる天井下地は一般に、躯体天井部から垂下するように設けられる複数の吊りボルトと、吊りボルトのそれぞれに固定される野縁受けハンガーと、側方に開口部を有する（横断面形状がＣ字状（コ字状）になる）とともに長尺状に形成され、隣り合う野縁受けハンガーに架け渡すように支持される野縁受けと、野縁受けに保持されるクリップと、クリップによって野縁受けに対して井桁状になるように支持されるとともに、ビス止め等によって天井パネルが取り付けられる野縁と、によって構成されている。このような天井下地は、例えば特許文献１の図２２に示されている。
【０００３】
また従来の野縁受けハンガーは、特許文献１の図２７に示されているように、野縁受けを取り付けた後にボルト止めを行うものの他、同文献の図２３に示されているように、ボルトは使用せず、野縁受けを手で押し込んでこれを取り付けることができるものがある。
【０００４】
ここで、手で押し込んで野縁受けを取り付けることが可能な従来の野縁受けハンガーについて、図５、図６を参照しながら説明する。従来の野縁受けハンガー１０１は、躯体天井部に設けられた吊りボルト（不図示）に固定される固定部１０２と、側面視においてＵ字状をなし、野縁受けＮを支持可能であって固定部１０２に連結する支持部１０３とで構成されている。固定部１０２は、吊りボルトに固定された状態で水平方向に延在する固定壁１０４と、固定壁１０４を貫通する円形の孔１０５とにより構成されている。また支持部１０３は、固定壁１０４の端部から下方に向けて延在する第一側壁１０６と、第一側壁１０６の下端部に連結して水平方向に延在する底壁１０７と、底壁１０７の端部から上方に向けて延在して第一側壁１０６に対向する第二側壁１０８と、第二側壁１０８の上端部に連結し、上方に向かうにつれて第一側壁１０６から離れる向きに傾く傾斜壁１０９と、第二側壁１０８と傾斜壁１０９が連結する付近に設けられ、第一側壁１０６に向けて突出する切り起こし１１０で構成されている。
【０００５】
このような野縁受けハンガー１０１は、孔１０５に吊りボルトを挿通させるとともに、吊りボルトに螺合する一対のナット（不図示）によって固定壁１０４を挟持するようにして、吊りボルトに固定される。そして、吊りボルトに固定された野縁受けハンガー１０１に対し、図５に示すように支持部１０３の上方から野縁受けＮを下方に向けて手で押し込むことにより、図５（ｂ）に二点鎖線で示すように、第二側壁１０８を第一側壁１０６から離反する向きに撓ませて、野縁受けＮを支持部１０３に嵌め込んでいる（図６参照）。
【先行技術文献】
【特許文献】
【０００６】
【特許文献１】特開平８−１３６８２号公報
【発明の概要】
【発明が解決しようとする課題】
【０００７】
ところで、従来の野縁受けハンガー１０１は、野縁受けＮを取り付けるにあたり、比較的強い力で押し込まなければ第二側壁１０８を撓ませることができなかった。また通常、取り付け作業は腕を上げた状態で行われるため、この状態で野縁受けＮに強い力を加えることは、作業者にとってかなりの負担になっていた。特に、サイズが小さい野縁受けＮを使用する場合は、底壁１０７を起点として第二側壁１０８が延在する長さも短くなるため、野縁受けＮを嵌め込む際は第二側壁１０８を大きく撓ませなければならない。このため、取り付けにあたって特に過大な力を要していて、施工性に難があった。
【０００８】
本発明は、このような問題点を解決することを課題とするものであって、野縁受けを取り付ける際の力が少なくて済み、施工性に優れる野縁受けハンガーを提供することを目的とする。
【課題を解決するための手段】
【０００９】
本発明の野縁受けハンガーは、躯体天井部に設けられた吊りボルトに固定される固定部と、側方に開口部を有する野縁受けを支持可能であって該固定部に連結する支持部と、を備え、前記支持部は、前記固定部から下方に向けて延在する第一側壁と、該第一側壁の下部に連結する底壁と、該底壁から上方に向けて延在して該第一側壁に対向し、前記野縁受けを支持した際に前記開口部が面する第二側壁と、を備え、前記第二側壁は、下方に向かうにつれて前記第一側壁に近づく向きに傾き、前記底壁との間で前記野縁受けを保持する傾斜保持片を有するものである。
【００１０】
このような野縁受けハンガーにおいて、前記第一側壁は、前記第二側壁に向けて突出し、支持した前記野縁受けに係合する突起を有することが好ましい。
【発明の効果】
【００１１】
本発明に従う野縁受けハンガーは、支持部に対して野縁受けを上方から押し込むことによって、第二側壁よりも幅狭の傾斜保持片が撓むため、野縁受けを取り付ける際に要する押し込み力が少なくて済み、優れた施工性を得ることができる。また傾斜保持片は、下方に向かうにつれて第一側壁に近づく向きに傾くものであって、野縁受けを嵌め込んだ後は撓んでいた状態から復元して野縁受けの開口部の内側に迫り出すため、底壁との間で野縁受けを保持することができる。
【００１２】
そして第一側壁に、第二側壁に向けて突出して野縁受けの上端部に係合する突起を設ける場合は、傾斜保持片と突起の両方で野縁受けを保持することができるため、野縁受けハンガーから野縁受けが脱落するなどの不具合がより確実に防止できる。
【図面の簡単な説明】
【００１３】
【図１】本発明に従う野縁受けハンガーの一実施形態を示す、（ａ）は斜視図であり、（ｂ）は側面図である。
【図２】（ａ）は図１に示した野縁受けハンガーの平面図であり、（ｂ）はその正面図であり、（ｃ）はその背面図である。
【図３】図１の野縁受けハンガーに野縁受けを取り付ける状況について説明する図であって、（ａ）は斜視図であり、（ｂ）は側面図である。
【図４】図１の野縁受けハンガーに野縁受けを取り付けた状態を示す、（ａ）は斜視図であり、（ｂ）は側面図である。
【図５】従来の野縁受けハンガーに野縁受けを取り付ける状況について説明する図であって、（ａ）は斜視図であり、（ｂ）は側面図である。
【図６】図５の野縁受けハンガーに野縁受けを取り付けた状態を示す、（ａ）は斜視図であり、（ｂ）は側面図である。
【図７】取り付けた野縁受けの外れ難さについて説明する図であって、（ａ）は図５に示した従来の野縁受けハンガーを使用した場合の側面図であり、（ｂ）は図１に示した野縁受けハンガーを使用した場合の側面図である。
【発明を実施するための形態】
【００１４】
以下、本発明に従う野縁受けハンガーの一実施形態について、図面を参照しながら説明する。なお、本明細書等における「上」、「下」の位置関係は、躯体天井部から垂下される吊りボルトに野縁受けハンガーを固定した状態での向きをいう。
【００１５】
まず、図３を参照しながら本実施形態の野縁受けハンガーで支持する野縁受けＮについて説明する。図示したように野縁受けＮは、横断面形状がＣ字状（コ字状）をなし、長尺状に形成されているものである。本実施形態においては、開口部Ｎ１を側方に向けた状態で高さが１９ｍｍになるＣ形チャンネル材を使用している。
【００１６】
次に、図１、図２を参照しながら本実施形態の野縁受けハンガー１について説明する。図示した野縁受けハンガー１は、所定の形状及び厚みとなる板材を、所定の位置で折り曲げることによって形成したものである。野縁受けハンガー１は、躯体天井部に設けられた吊りボルト（不図示）に固定される固定部２と、側面視においてＵ字状をなし、固定部２に連結するとともに野縁受けＮを支持する支持部３とで構成されている。
【００１７】
固定部２は、吊りボルトに固定された状態で水平方向に延在する矩形状の固定壁４と、固定壁４を貫通する円形の孔５とを備えている。また支持部３は、固定壁４の端部から下方に向けて延在する矩形状の第一側壁６と、第一側壁６の下端部に連結し、第一側壁６と同幅で水平方向に延在する底壁７と、底壁７と同幅で、底壁７の端部から上方へ向かうにつれて第一側壁６に近づく向きに若干傾いて延在して、第一側壁６に対向する第二側壁８と、第二側壁８の上端部に連結し、上方に向かうにつれて第一側壁６から離れる向きに傾く傾斜壁９とを備えている。
【００１８】
また第一側壁６における上部には、第二側壁８に向けて突出する突起１０が設けられている。本実施形態の突起１０は、図１（ａ）に示すように第一側壁６の幅方向に沿って延在していて、図１（ｂ）に示すように側面視において半円をなすように突出するものである。
【００１９】
そして第二側壁８には、図２（ｂ）に示すように、上下方向に延在して第二側壁８を切り欠く２つの縦溝１１と、２つの縦溝１１と下方でつながるとともに底壁７と第二側壁８との連結部を切り欠く１つの横溝１２とが設けられていて、２つの縦溝１１の間には、第二側壁８よりも幅狭であって、下方に向かうにつれて第一側壁６に近づく向きに傾く傾斜保持片１３が設けられている（図１（ａ）、（ｂ）参照）。
【００２０】
このように形成される野縁受けハンガー１は、躯体天井部に設けられた複数の吊りボルトのそれぞれに対し、吊りボルトの下端部を孔５に挿通させるとともに、吊りボルトに螺合する一対のナット（不図示）によって固定壁４を挟持するようにして、それぞれの吊りボルトに固定される。そして野縁受けＮは、複数の野縁受けハンガー１に対し架け渡されるようにして取り付けられる。ここで、野縁受けＮを野縁受けハンガー１に取り付けるにあたっては、図３に示すように、支持部３の上方から野縁受けＮを下方に向けて手で押し込む。ここで野縁受けＮは、図示したように開口部Ｎ１が第二側壁８に面する向きで押し込まれるものとする。なお、野縁受けハンガー１には傾斜壁９が設けられていて、支持部３の真上に位置しない状態から野縁受けＮを押し込んでも、野縁受けＮはこの傾斜壁９に誘導されるため、第一側壁６と第二側壁８の間に入り込ませることができる。すなわち、野縁受けＮと支持部３との位置が視認できないような作業環境（例えば腕を上げて野縁受けＮの取り付けを行うような状況）であっても、取り付けが行い易くなる。
【００２１】
そして、第一側壁６と第二側壁８の間に野縁受けＮが入り込むと、図３（ｂ）に二点鎖線で示すように、野縁受けＮの下端部によって傾斜保持片１３が第一側壁６から離反する向きに撓むため、図４に示すように野縁受けＮを支持部３に嵌め込むことができる。このように本実施形態の野縁受けハンガー１では、第二側壁８よりも幅狭の傾斜保持片１３を撓ませるようにしているため、図５に示した従来の野縁受けハンガー１０１に比して、より小さな力で野縁受けＮを取り付けることができる。そして傾斜保持片１３は、撓んでいた状態から復元することによって開口部Ｎ１の内側に迫り出すため、底壁７と傾斜保持片１３の下端部によって野縁受けＮの下端部が挟み込まれる状態となり、野縁受けＮは野縁受けハンガー１に保持される。なお、底壁７と傾斜保持片１３の下端部によって野縁受けＮの下端部が挟み込まれる状態とは、傾斜保持片１３の下端部が野縁受けＮの下端部に接触している状態のみを意味するものではなく、これらの間にわずかな隙間があいている状態も含む。
【００２２】
また、野縁受けＮが支持部３に嵌め込まれている状態においては、図４（ｂ）に示すように第一側壁６に設けた突起１０が、野縁受けＮの上端部に係合する。すなわち、傾斜保持片１３と突起１０の両方で野縁受けＮを強固に保持することができる。
【００２３】
ところで、野縁受けハンガー１に取り付けられた野縁受けＮの外れ難さを確認したところ、図５に示す従来の野縁受けハンガー１０１よりも、外れに対する強度が強いことが認められた。この点を、図７を参照しながら説明する。図７（ａ）は、従来の野縁受けハンガー１０１に取り付けた野縁受けＮに対して上向きの力を加える状況を示し、図７（ｂ）は、本実施形態の野縁受けハンガー１に取り付けた野縁受けＮに対して上向きの力を加える状況を示している。図７（ａ）に示すように従来の野縁受けハンガー１０１では、上向きの力を加えられた野縁受けＮによって切り起こし１１０が押圧され、これによって第二側壁１０８が第一側壁１０６から離反する向きに撓んでいき、撓み量が一定量を超えたところで野縁受けＮは外れることになる。一方、本実施形態の野縁受けハンガー１では、図７（ｂ）に示すように、野縁受けＮの下端部によって傾斜保持片１３に上向きの力が加わるものの、図中に実線で示す矢印のように、その力の大部分は傾斜保持片１３に沿う向きに作用し、傾斜保持片１３を撓ませる向きの力は小さくなる。また第二側壁８は、第一側壁６に設けた突起１０によって野縁受けＮで押圧され、これによって第二側壁８が第一側壁６から離反する向きに撓むものの、第二側壁８が撓むと、第二側壁８に対して上端部が連結する傾斜保持片１３は、野縁受けＮの開口部Ｎ１に対して更に内側に迫り出すことになる。このような作用によって本実施形態の野縁受けハンガー１では、従来の野縁受けハンガー１０１よりも野縁受けＮが外れ難くなり、より強固に野縁受けＮを保持しておくことができる。
【００２４】
以上、本発明について具体的な実施形態を示しながら説明したが、本発明に従う野縁受けハンガーは上述した実施形態に限られるものではなく、特許請求の範囲に従う範疇で種々の変更を加えたものも含まれる。例えば必要な強度が確保できる場合、第一側壁６に設けた突起１０は省略してもよい。また、傾斜保持片１３の数は図示例のように１つに限られず、これを複数設けてもよい。また上述した野縁受けハンガー１は、野縁受けＮとして高さが１９ｍｍになるＣ形チャンネル材を使用するものであったが、各部の寸法を適宜変更することによって、他のサイズの野縁受けを取り付けることも可能である。
【符号の説明】
【００２５】
１：野縁受けハンガー
２：固定部
３：支持部
４：固定壁
５：孔
６：第一側壁
７：底壁
８：第二側壁
９：傾斜壁
１０：突起
１１：縦溝
１２：横溝
１３：傾斜保持片
１０１：野縁受けハンガー（従来例）
１０２：固定部
１０３：支持部
１０４：固定壁
１０５：孔
１０６：第一側壁
１０７：底壁
１０８：第二側壁
１０９：傾斜壁
１１０：切り起こし
Ｎ：野縁受け
Ｎ１：開口部
【図１】
2020045719.tif 000003
【図２】
2020045719.tif 000004
【図３】
2020045719.tif 000005
【図４】
2020045719.tif 000006
【図５】
2020045719.tif 000007
【図６】
2020045719.tif 000008
【図７】
2020045719.tif 000009